Podtech/llm-jp-corpus-v4-ja_patent huggingface dataset:
(57)【要約】【課題】翼間の流れを安定させ、騒音を低減させる。【解決手段】モータ軸に嵌め込まれるボス４と一体の翼取付板１に、複数の翼２が結合された羽根車を有する軸流式プロペラファンにおいて、翼取付板１に翼２の前縁２ａから突出する三角形状の突片１ａを一体に形成する。突片１ａは翼２の負圧面２ｃ側に一定の角度だけ傾けられている。翼２に気体が流入すると、正圧面２ｂ側に流入した気体の一部は翼２の前縁２ａから負圧面２ｃに流入し、境界層を発達させるとともに、負圧面２ｃ側の流れと干渉して圧力変動を増大させるが、その場合に突片１ａがあると、その内径側にあたる１辺で縦渦９が発生し、この縦渦は翼２の負圧面２ｃ側の境界層の発達を抑制する。その結果、翼間の流れの状態が安定し、圧力変動に伴う騒音が低減される。【選択図】　　　　図１
2004052739.tif 000002
【特許請求の範囲】
【請求項１】
モータ軸に嵌め込まれるボスと一体の翼取付板に複数の翼が結合された羽根車を有する軸流式プロペラファンにおいて、
前記翼取付板に前記翼の前縁から突出し、かつ前記翼の負圧面側に傾く三角形状の突片を一体に形成したことを特徴とする軸流式プロペラファン。
【発明の詳細な説明】
【０００１】
【発明の属する技術分野】
この発明は、換気装置や空調機器などに用いられる軸流式プロペラファンに関する。
【０００２】
【従来の技術】
図５は軸流式プロペラファンの従来構成を示すもので、図５（Ａ）は吸気側の正面図、図５（Ｂ）はその縦断面図である。図５において、鋼鈑からプレス成形された翼取付板（スパイダ）１に、やはりプレス成形された鋼鈑あるいはアルミ板からなる複数（図示は３枚）の翼２がリベット３により結合されて羽根車が構成され、この羽根車は翼取付板１に溶接された棒鋼などからなるボス４を介してモータ５の軸に嵌め込まれ、ナット６により締め付けられている。羽根車はベルマウスシュラウド７で囲まれ、モータ５はステイ８を介してベルマウスシュラウド７に支持されている。羽根車は図５（Ａ）の破線矢印方向に回転し、図５（Ｂ）の左側から吸気する。翼２は半径が小さい位置から大きい位置に向って回転方向にスキュー（前進）し、かつ吸気側に傾斜するように構成され、低騒音化が図られている。
【０００３】
【発明が解決しようとする課題】
図５の従来構成において、軸流式プロペラファンの音響特性・空力特性に大きく影響する翼前縁２ａの形状及び翼２の３次元的曲面形状が十分に最適化されているとはいえない。そのため、更に低騒音化を図るためには、翼面上の境界層の発達を抑え、また翼前縁２ａにおいて正圧面２ｂ側から負圧面２ｃ側に回り込む流れと負圧面２ｃ側の流れとの干渉による圧力変動の増大を抑える等の対策が必要である。
【０００４】
この発明の課題は、上記した観点から、軸流式プロペラファンの騒音の一層の低減を図ることにある。
【０００５】
【課題を解決するための手段】
上記課題を解決するために、この発明は、モータ軸に嵌め込まれるボスと一体の翼取付板に、複数の翼が結合された羽根車を有する軸流式プロペラファンにおいて、前記翼取付板に前記翼の前縁から突出し、かつ前記翼の負圧面側に傾く三角形状の突片を一体に形成するものとする。
【０００６】
【発明の実施の形態】
図１〜図４に、この発明の実施の形態を示す。ここで、図１（Ａ）は正面図、図１（Ｂ）はその縦断面図、図２は図１の半径ｒ位置における翼断面の平面展開図、図３は翼及び翼取付板の斜視図、図４は図３のＰ部の拡大図である。図２におけるＬは翼弦長、Ｒは翼断面の曲率半径、θは翼断面のそり角をそれぞれ示す。なお、従来例と対応する部分には同一の符号を用いるものとする。さて、これらの図において、従来と相違するのは、翼取付板１に翼２の前縁２ａから突出する三角形状の突片１ａが一体に形成されている点である。この突片１ａは、図２に示すように、翼２の負圧面２ｃ側に角度δだけ傾けられている。
【０００７】
図３において、破線矢印方向に回転する羽根車の翼２には、実線矢印で示すように気体が流入するが、正圧面２ｂ側に流入した気体の一部は翼２の前縁２ａから負圧面２ｃに流入し、境界層を発達させるとともに負圧面２ｃ側の流れと干渉して圧力変動を増大させる。その場合、突片１ａがあると、図４に示すように、突片１ａの内径側にあたる１辺で縦渦９が発生し、この縦渦９は翼２の負圧面２ｃ側の境界層の発達を抑制する。その結果、翼間の流れの状態が安定し、圧力変動に伴う騒音が低減される。
【０００８】
【発明の効果】
以上の通り、この発明によれば、翼取付板に三角形状の突片を一体形成し、翼表面に縦渦を発生させることにより、翼間の圧力変動を抑えて低騒音化を図ることができ、また突片は翼取付板のプレス成形時に同時形成できるので実施コストも安価である。
【図面の簡単な説明】
【図１】この発明の実施の形態の軸流式プロペラファンを示し、（Ａ）は吸気側の正面図、（Ｂ）はその縦断面図である。
【図２】図１（Ａ）の半径ｒ位置における翼断面の平面展開図である。
【図３】図１における翼及び翼取付板の斜視図である。
【図４】図３のＰ部の拡大図である。
【図５】従来構成の軸流式プロペラファンを示し、（Ａ）は吸気側の正面図、（Ｂ）はその縦断面図である。
【符号の説明】
１　　翼取付板
１ａ　突片
２　　翼
４　　ボス
９　　縦渦
【図１】
2004052739.tif 000003
【図２】
2004052739.tif 000004
【図３】
2004052739.tif 000005
【図４】
2004052739.tif 000006
【図５】
2004052739.tif 000007
(57)【要約】【課題】畜舎や鶏舎に吊り支持され、畜舎内や鶏舎内を送風する農事用大型送風機について、その持運びや取扱いを容易にする。【解決手段】モーター１が風洞２の中心線上に数本の取付脚３によって支持され、そのモーター１の回転軸に風洞２内で回転する羽根車４が装着された農事用大型送風機について、その風洞２を握り易い棒状材で構成する。また、風洞を円形断面のパイプ材で構成し、送風性能を確保する。そして、取付脚３と風洞２とを連結金具６で結合する構成とし、その連結金具６については、取付脚３を固定するフランジ８と、風洞２を半径方向から挟持する挟持部とを備えた構成とする。【選択図】　　　　　図１
2004052709.tif 000002
【特許請求の範囲】
【請求項１】
モーターが風洞の中心線上に数本の取付脚によって支持され、そのモーターの回転軸に前記風洞内で回転する羽根車が装着された農事用大型送風機であって、その風洞を棒状材で構成した農事用大型送風機。
【請求項２】
請求項１に記載の農事用大型送風機であって、風洞をパイプ材で構成した農事用大型送風機。
【請求項３】
請求項１又は請求項２のいずれかに記載の農事用大型送風機であって、風洞を円形断面の材料で構成した農事用大型送風機。
【請求項４】
請求項１〜請求項３までのいずれかに記載の農事用大型送風機であって、取付脚と風洞とを金具で結合し、その金具は、前記取付脚を固定するフランジと、前記風洞を半径方向から挟持する挟持部から構成されている農事用大型送風機。
【発明の詳細な説明】
【０００１】
【発明の属する技術分野】
本発明は、畜舎や鶏舎に吊り支持され、畜舎内や鶏舎内を送風する農事用大型送風機に関するものである。
【０００２】
【従来の技術】
畜舎内や鶏舎内の環境保全のために使われる農事用大型送風機は、外径が１ｍにも及ぶ大型のものであり、畜舎や鶏舎の天井等に吊り固定されることが多い。この種の従来の農事用大型送風機は、モーターがリング形の風洞の中心上に数本の取付脚によって支持され、モーターの回転軸に風洞内で回転する羽根車が装着され構成である。風洞は、亜鉛メッキ鋼板で作られ、ベルマウス状の曲面構成となっている。羽根車は、プロペラファンで、ステンレスや溶融亜鉛メッキの鋼板で作られている。
【０００３】
【発明が解決しようとする課題】
上記した従来の農事用大型送風機においては、据付けや取外し時にはどうしても鋼板製の風洞に手を掛けて扱わねばならず、握り締めることが出来ない構造であるため、持運びや取扱いが大変し辛いものである。
【０００４】
本発明は、係る従来の問題点を解決するためになされたものであって、その課題とするところは、持運びや取扱いが容易な農事用大型送風機を得ることであり、その農事用大型送風機の製造コストの低減を推進することである。
【０００５】
【課題を解決するための手段】
前記課題を達成するために請求項１の発明は、モーターが風洞の中心線上に数本の取付脚によって支持され、そのモーターの回転軸に風洞内で回転する羽根車が装着された農事用大型送風機について、その風洞を棒状材で構成する手段を採用する。
【０００６】
前記課題を達成するために請求項２の発明は、請求項１に係る前記手段における風洞をパイプ材で構成する手段を採用する。
【０００７】
前記課題を達成するために請求項３の発明は、請求項１又は請求項２のいずれかに係る前記手段における風洞を円形断面の材料で構成する手段を採用する。
【０００８】
前記課題を達成するために請求項４の発明は、請求項１〜請求項３までのいずれかに係る前記手段における取付脚と風洞とを金具で結合し、金具を、取付脚を固定するフランジと、風洞を半径方向から挟持する挟持部から構成する手段を採用する。
【０００９】
【発明の実施の形態】
図１及び図２によって示す本実施の形態は、畜舎や鶏舎に鎖等で吊り支持され、畜舎内や鶏舎内を送風する外径が１ｍ程度の農事用大型送風機に関するものである。この農事用大型送風機は、図１に示すように、モーター１が風洞２の中心線上に数本の取付脚３によって支持され、そのモーター１の回転軸に風洞２内で回転するプロペラファンによる羽根車４が装着されている。風洞２は、円形断面の鋼パイプを円形に曲げて構成されている。取付脚３は、モーター取付板５に二本の曲げパイプを、略Ｘ字状に四本の脚部が延出するようにネジ付けされて構成されている。
【００１０】
取付脚３の四本の脚部の自由端側と、風洞２とは図２に示すような連結金具６で固定されていている。モーター１は、モーター取付板３にその外殻のフランジにおいて回転軸が風洞２の中心線に沿うようにネジ固定され、その回転軸に羽根車４が風洞２内で回転するように装着されている。連結金具６は、ウエブ部７の一方に取付脚３の自由端側を固定するフランジ８が設けられ、ウエブ部７の他方に風洞２を半径方向から挟持する挟持部９が設けられている。挟持部９は、ウエブ部７の一部とフランジ１０と立上り部１１とによりチャンネル状に構成され、チャンネル部に風洞２を入れ、ウエブ部７と立上り部１１間をネジ締めすることによって風洞２を挟持する。挟持部９に対向するフランジ８には、各脚部の自由端側が当沿わされネジ付けにより固定されている。四個の連結金具６の一つは、その挟持部９によって風洞２の端面同士の突合せ部を挟持するよう二本のネジによって締め固定されている。
【００１１】
この連結金具６の採用により、風洞２を突合せ部で溶接するような手間もかからず、風洞２の周上を自由に移動させ得るため、脚部との位置関係が拘束されることもなく、大径の風洞２に正確にネジ孔を開ける必要もなく製造コストの低減を推進できる。
【００１２】
この農事用大型送風機においては、風洞２が握り易いパイプ材であるため、取付けや取外し、或いは持運びといった扱いにおいて風洞２を握り持って行うことができ、大型であっても扱い易いものとなる。送風性能に関しても、風洞２のプロフィルがベルマウスの一部と類似形状となっているため、性能低下はきたさない。
【００１３】
なお、風洞２を単に棒状材で構成しても、握り易さが備わり、大型であっても扱い易い農事用大型送風機となる。また、風洞２を、アルミ板材等をバーリング加工により円形断面のバイブ状にしたもので構成してもよい。さらに、連結金具６の挟持部９については、一体構造でなくても挟持片をウエブ部７に両端においてネジ締めする構造を採ることもできる。
【００１４】
【発明の効果】
請求項１の発明によれば、持運びや取扱いが容易な農事用大型送風機が得られる。
【００１５】
請求項２の発明によれば、持運びや取扱いが容易な農事用大型送風機を得る持運びや取扱いが容易な農事用大型送風機が得られる。
【００１６】
請求項３の発明によれば、送風性能の低下をきたさず、持運びや取扱いが容易な農事用大型送風機が得られる。
【００１７】
請求項４の発明によれば、請求項１〜請求項３までのいずれかに係る前記効果とともに製造コストの低減を図ることができる。
【図面の簡単な説明】
【図１】実施の形態の農事用大型送風機背面図である。
【図２】図１におけるＡ矢印部の拡大斜視図である。
【符号の説明】
１　モーター、　２　風洞、　３　取付脚、　４　羽根車、　６　連結金具、
９　挟持部。
【図１】
2004052709.tif 000003
【図２】
2004052709.tif 000004
(57)【要約】【目的】携帯電話カメラ付ストロボ用の光学系として、照明野内をより明るく、より一様に照明する光学系を提案する。【構成】光源用ＬＥＤから若干の距離をあけて、蝿の目レンズを置き、その要素レンズは両凸レンズとし、入射面は、入射面に入った光を射出面に集光するように働き、射出面は、入射面の輪郭の像を射出面のレンズ作用が、被写体距離に、望まれる照明野の大きさに結像するようにしたストロボ用蝿の目レンズ。ないしは、上記の基本構造であるが、現実の制約条件によって基本構造の若干が修正されている携帯電話カメラ付ストロボ用蝿の目レンズ。【選択図】    図３
2004287357.tif 000002
【特許請求の範囲】
【請求項１】
カメラ付き携帯電話の照明用ストロボレンズとして用いた蝿の目レンズ。
【請求項２】
発光ダイオードを光源とし蝿の目レンズで光を指定距離の指定面積内に一様に広げる、携帯電話カメラ付ストロボ用レンズ。
【発明の詳細な説明】
【０００１】
【産業上の利用分野】
携帯電話にカメラが付き、その写真撮影用に発光ダイオード（ＬＥＤ）を光源としたストロボが付けられるようになってきた。本発明はこの携帯電話カメラ用ストロボの光を欲しい角度に、即ち欲しい距離の欲しい面積になるべく一様にかつ有効に広げる為に工夫した蝿の目レンズである。
【０００２】
【従来の技術】
従来はレンズ作用を持たせず単に光を散らす為の拡散板、または単に内部の光源としてのＬＥＤが直接見えないようにするための拡散板が用いられたり、或いは球面レンズまたは非球面レンズ等の単レンズ、またはフレネルレンズ等が用いられてきた。
【０００３】
【発明が解決しようとする課題】
レンズ作用のない拡散板は論外として、球面レンズあるいは非球面レンズないしはフレネルレンズ等のいわゆる単眼レンズでは、一定距離はなれた位置で一定面積内を可能な限り一様に、かつ可能な限り明るくするには、携帯電話のように薄い構造体ではおのずと限界がある。この限界を超えようとするとたちまち明るさと一様性の二律背反に直面する。即ち、より明るくしようとすると、一様性が悪化し、より一様にしようとすると明るさを犠牲にしなければならない。本案は、もともとさして強くはないＬＥＤ光源の光を有効に使い、指定位置を明るくかつ一様に照明する工夫を提案する。
【０００４】
【課題を解決するための手段】
ＬＥＤ光源から若干離れた位置に以下に述べるようにマイクロ蝿の目レンズを置く。即ち、蝿の目レンズの一個一個の要素レンズは両凸レンズであって、この入射面を以下の便宜のため前面と呼び、射出面を後面とよぶ。また、要素レンズの断面形状は、被写体の照明野と相似形とし、照明野が例えば縦長の矩形であれば、要素レンズの断面形状もそれに相似な縦長の矩形とする。
【０００５】
蝿の目レンズの構成は通常の蝿の目レンズと基本的には同様である。すなわち、前面単独のレンズ作用としての焦点が後面の位置に、また後面単独のレンズ作用としての焦点の位置が前面の位置にあるようにし、前後面の曲率半径の絶対値が同一なる両凸レンズである。さらに後面単独のレンズ作用としての焦点距離と、要素レンズの断面形状、および被写体までの距離と照明野の大きさ、とのあいだには、つぎのような相関関係にあるようにすることが基本である。即ち、後面単独でひとつのレンズと考えた場合、このレンズが（前面そのものを物体と考えたとき）前面の輪郭の像を、ちょうど被写体の位置に、照明野の大きさまで拡大した像を、結像するようにするのである。しかしこれはあくまでも基本としてである。本案の場合、携帯電話カメラという極めて薄く小型な構造の中に収めなければならず、蝿の目レンズの要素レンズも極めて短い焦点距離と高い開口数（ＮＡ）が要請され、往々にして上記の基本とおりには出来ない場合がある。その場合には、基本をどこかで崩した構造に甘んじなければならないが、実際には、シミュレーションを繰り返し、照明野の照度分布の状態を確認しながら、現実性の在る解を求めることになる。
【０００６】
【作用】
上記のような構成をとることにより、蝿の目レンズの前面がＬＥＤの発する光により一様に照らされ、前面を透過した光は前面のレンズ作用で蝿の目レンズの後面に集光してこれを透過し、後面のレンズ作用は一様に照らされた前面の拡大像を被写体付近に投影結像するように透過光線を屈折し、こうして照明野まで辿り着いた光が全体として蝿の目の数だけ加算されて被写体の位置に一様で明るい照明野を得る。
【０００７】
【実施例−１】
実施例−１の  Ｒ、Ｄ、ｎ  データを次に示す。光源はＬＥＤで７ｍｍ□（実際は４個張り合わせ品）、光源発光面からＥＰＯＸＹ内への配光分布特性は余弦法則（ｃｏｓθ）を仮定している。
2004287357.tif 000003
蝿の目レンズのデータは：
要素レンズの大きさが、タテ：０．６ｍｍ（１０個），ヨコ：０．４５ｍｍ（１４個）本実施例は上記のように、被写体までの距離が５００ｍｍ、照明野の大きさが、５００ｍｍ（タテ）Ｘ４００ｍｍ（ヨコ）、の場合である。
【０００８】
【発明の効果】
従来の技術においては、明るさと一様性の二律背反を破ることは極めて困難であったが、本案によってより明るく（集光効率がよく）かつ照明野内の一様性がより良い、ＬＥＤによるストロボ照明を達成することが可能になった。携帯電話カメラ用ストロボという極めて薄い小型機構の中に、本案によるマイクロ蝿の目レンズの技術は都合よくフィットしより良いストロボ照明を提供する。
【図面の簡単な説明】
【図１】
実施例−１の光学系で、被写体距離５００ｍｍ、照明野タテ５００ｍｍ、ヨコ４００ｍｍを照明した場合のシミュレーション結果。ただし、図示範囲は、タテ８００ｍｍ、ヨコ８００ｍｍ。
【図２】同じく実施例−１の光学系のシミュレーション結果。ただし、図示範囲は、設計上の照明野の範囲で、タテ５００ｍｍ、ヨコ４００ｍｍ。
【図３】実施例−１の光学系の断面拡大図。
【符号の説明】
１        ＬＥＤ光源発光面
２        ＬＥＤ発光面を覆うエポキシ樹脂
３        蝿の目レンズ
【図１】
2004287357.tif 000004
【図２】
2004287357.tif 000005
【図３】
2004287357.tif 000006
(57)【要約】【課題】特別な部品を有することなく、容易に且つ安価に、ＬＥＤの発光を視認可能な任意な位置に透過させ、視認することができるＬＥＤ表示装置を提供する。【解決手段】第１のプリント基板１と、そのプリント基板上に配置された表面実装ＬＥＤ３と、そのＬＥＤ３の発光の視認を阻む位置に設けた第２のプリント基板２とを備えたＬＥＤ表示装置において、第２のプリント基板２に、光を透過しうるガラス樹脂４と、レジスト６及び銅箔５を除去した、ＬＥＤの発光の採光部７と、採光した光の拡散を押さえるべく設けた銅箔と、採光した光を視認すべくレジスト６及び銅箔５を除去した表示部８とを備える。【選択図】    図１
2004287062.tif 000002
【特許請求の範囲】
【請求項１】
第１のプリント基板と、それに配置された表面実装ＬＥＤと、そのＬＥＤの視認を阻む位置に設けた第２のプリント基板とを備えたプリント基板におけるＬＥＤ表示装置において、
前記第２のプリント基板に、光を透過しうるガラス樹脂と、レジスト及び銅箔を除去した、ＬＥＤの発光の採光部と、採光した光の拡散を押さえために設けた銅箔と、採光した光を視認するためにレジスト及び銅箔を除去した表示部とを備えたことを特徴とするプリント基板におけるＬＥＤ表示装置。
【発明の詳細な説明】
【０００１】
【発明の属する技術分野】
本発明は、電子機器におけるプリント基板上のＬＥＤの表示装置に関する。
【０００２】
【従来の技術】
ノートパソコンなどの電子機器には電源の投入状態や動作状態などを表示するためＬＥＤの表示装置が利用されている（特許文献１参照）。
【０００３】
従来のＬＥＤ表示装置の１例を図２に示す。図２において、１は第１のプリント基板、２は第２のプリント基板、３はＬＥＤ、４はガラス樹脂、５は銅箔、６はレジストである。第１のプリント基板１上に取り付けてあるＬＥＤ３を視認しようとする場合、機器の構成上、第１のプリント基板１の上部に第２のプリント基板２があるので、直接ＬＥＤ３を視認することを妨げるレジストや銅箔等があるため、ＬＥＤ３の発光が視認できない。
【０００４】
従来のＬＥＤ表示装置の別の例を図３に示す。図３において図２と同じ部材は同じ符号をつけてその説明を省略する。９は光透過性のプラスチック樹脂で作られた導光板、１０はＬＥＤ３の光がプラスチック樹脂９内を透過している光の経路を示している。第１のプリント基板１上のＬＥＤ３の光はプラスチック樹脂９を透過している光によって視認していた。
【０００５】
【特許文献１】
特開２００２−７２９３３号公報
【０００６】
【発明が解決しようとする課題】
従来のＬＥＤ表示装置は、図２のように視認したい方向に隣接する第１のプリント基板１を設けた際、直接ＬＥＤ３の発光を視認することができないという問題があった。そのため、視認を阻む位置にプリント基板を設ける場合は、図３の様な対策をしなければならない。図３のように光透過性のプラスチック樹脂９を使用してＬＥＤ３の発光を視認させる場合は、形状が複雑で大きな実装スペースが必要であり、構造設計上及び基板設計上での制約が増え、設計が困難となる。また高価になるというような問題も抱えていた。
【０００７】
そこで、本発明はこのような問題点に鑑みてなされたものであり、特別な部品を有することなく、容易に且つ安価に、ＬＥＤの発光を視認可能な任意な位置に透過させ、視認することができるＬＥＤ表示装置を提供することを目的とする。
【０００８】
【課題を解決するための手段】
本発明は、上記問題を解決するため、第１のプリント基板と、そのプリント基板上に配置された表面実装ＬＥＤと、そのＬＥＤの発光の視認を阻む位置に設けた第２のプリント基板とを備えたＬＥＤ表示装置において、ＬＥＤの発光の視認を阻む位置のプリント基板に、光を透過しうるガラス樹脂と、レジスト及び銅箔を除去した、ＬＥＤの発光の採光部と、採光した光の拡散を押さえるべく設けた銅箔と、採光した光を視認すべくレジスト及び銅箔を除去した表示部とを備える。
【０００９】
一般のプリント基板は、基材にガラス樹脂などが使用されており、このガラス樹脂は半透明で光の透過性がある。本発明では、これを利用し、ＬＥＤの発光の視認を阻む位置にプリント基板を備えた場合に、このプリント基板を構成するガラス樹脂部を利用することで、特別な部品を使用することなく、ＬＥＤの発光を視認可能な任意な位置に透過させ、視認することが可能となる。
【００１０】
【発明の実施の形態】
以下、本発明の具体的実施例を図１に基づいて説明する。
【００１１】
図１は、本発明のＬＥＤ表示装置の断面図である。図１において、従来例と同じ部材は同じ符号を付している。図１において、７は採光部、８は表示部である。他の符号は図２及び図３に示す従来例と同じであるため説明を省略する。
【００１２】
本発明においては、表面実装されたＬＥＤの視認を阻む第２のプリント基板２にＬＥＤ３の発光の採光部と採光した光を視認すべく表示部を設けたものである。
【００１３】
採光部７はレジスト及び銅箔を除去した部分、表示部８はレジスト及び銅箔を除去した部分である。光の経路１０はＬＥＤ３の光がガラス樹脂４内を透過している。
【００１４】
図１に示すように、第１のプリント基板１のＬＥＤ３の発光が、ＬＥＤの視認を妨げる第２のプリント基板２の採光部７から入り、光透過性のガラス樹脂４を通り、表示部８から光を放出する。したがって、第２のプリント基板２で隠されている第１のプリント基板１のＬＥＤの発光を視認することができる。
【００１５】
【発明の効果】
以上述べたように、本発明のＬＥＤ表示装置によれば、ＬＥＤの発光の視認を阻む位置にプリント基板を備えた場合に、このプリント基板を構成するガラス樹脂部を利用することでＬＥＤの発光を視認することができる。
【００１６】
したがって、プリント基板を構成する一般的な光透過性のガラス樹脂部を透過させることによって、導光板のような特別な部品を設けることなく、構造設計上や基板設計上での制約をなくし、容易に且つ安価に、ＬＥＤの発光を視認可能な任意な位置に透過させて表示することができるという効果がある。
【図面の簡単な説明】
【図１】本発明のＬＥＤ表示装置の断面図である。
【図２】従来のＬＥＤ表示装置の一例を示す側断面図である。
【図３】従来のＬＥＤ表示装置の別の例を示す側断面図である。
【符号の説明】
１  第１のプリント基板
２  第２のプリント基板
３  ＬＥＤ
４  ガラス樹脂
５  銅箔
６  レジスト
７  採光部
８  表示部
９  プラスチック樹脂
１０  光の経路
【図１】
2004287062.tif 000003
【図２】
2004287062.tif 000004
【図３】
2004287062.tif 000005
(57)【要約】【課題】出し入れの労力、又風等により落下、乱れ、絡まりを防ぎ、汚れを解消する為にのれん収納看板器を提供する。【解決手段】毎日の、のれん出し入れを固定された１のれん収納看板器から自動的に出し入れをする事で出した時、風等による落下を防ぎ、３砂入棒状袋、４ブラシで乱れ、絡み、汚れを防ぐ様にした。【選択図】  図１
2004212915.tif 000002
【特許請求の範囲】
【請求項１】
店舗、家屋内外に、のれんを出し入れする様を自動的に出し入れを行う収納看
板器。
【発明の詳細な説明】
【０００１】
【発明の属する技術分野】
本発明は、出し入れの労力を省き、風等による落下、乱れ、絡まりを防ぎ出し入れの時汚れを落とす機能を有し、インテリア化した物である。
【０００２】
【従来の技術】
従来は、出し入れ、汚れ、風等による落下、乱れ、絡まりを人力で直す方法しか無かった。
【０００３】
【発明が解決しようとする課題】
人力による出し入れの手間や、風等による落下、乱れ、絡まり、汚れの難点があった点を本発明は、この課題を解消する為になされたものである。
【０００４】
【課題を解決するための手段】
毎日の、のれんの出し入れの手間を省く為、１収納看板器の中の５巻取モーターにより巻上げ、巻き戻しする事により解消し、均一に巻上げ、巻き戻しで必要な張力及び、風等による乱れ、絡まりを防ぐ為、のれんの裾に必要量の重さを持つ３砂入り棒状の袋を縫い込み、出入に支障の無い物とし、尚且つ４ブラシにより汚れを落とすようにした。
【０００５】
【発明の実施の形態】
以下、本発明の実施の形態について説明する。
（イ）．１収納看板器は開閉出来る様にし、５巻取モーター、６巻取棒、７歯車、８ベアリングを取付ける。
（ロ）．１０のれん出入口に４ブラシを取付ける。
（ハ）．２のれんの下に３砂入棒状袋を縫込み、それを６巻取棒に取付ける。
（二）．９取付金具により固定する。
（ホ）．のれんは、５巻取モーターにより１０のれん出入口から出し入れする。
【０００６】
【発明の効果】
毎日出し入れをしなくても済、風等による落下、乱れ、絡まり、汚れを解消し
たものである。
【図面の簡単な説明】
【図１】本発明の斜面図である。
【図２】本発明の側面図である。
【符号の説明】
１  収納器看板本体
２  のれん
３  砂入り棒状袋
４  ブラシ
５  巻取モーター
６  巻取棒
７  歯車
８  ベアリング
９  取付金具
１０のれん出入口
【図１】
2004212915.tif 000003
【図２】
2004212915.tif 000004
(57)【要約】【課題】釣った魚の実物がないとできなかった魚拓等を、実物がなくても魚の名前と体長、又は魚の名前と重量を記憶していれば記録し、釣り人が簡単に手に入れられ、更に携帯できるようにする。【解決手段】基材シート１の表面に少なくとも、釣った魚の名前２と体長３、又は名前と重量を記録し、携帯できるようにした。また、その連続した数値の記録シートを任意で個々に複数作成し、あらかじめ販売店に置き、簡単に手に入れられるようにした。【選択図】    図１
2004212688.tif 000002
【特許請求の範囲】
【請求項１】
少なくとも、釣った魚の名前と体長、又は名前と重量を基材シート表面に記録し、携帯できることを特徴とした釣り用記録シート。
【請求項２】
釣れると予測される魚の名前と体長、又は名前と重量の連続した数値の記録シートを任意で個々に複数作成し、あらかじめ販売店に置くことを特徴とする請求項１に記載の釣り用記録シート。
【発明の詳細な説明】
【０００１】
【発明の属する技術分野】
本発明は、少なくとも、釣った魚の名前と体長、又は名前と重量を基材シート表面に記録し、携帯できることを特徴とした釣り用記録シートに関する。
【０００２】
【従来の技術】
従来、釣り人は釣った魚を魚拓や写真、そして最近では写真を複写して、ステッカー等にして記録しているが、これらの方法では魚をリリースした後や食べた後からでは、記録を形にして保存することができなかった。
【０００３】
【発明が解決しようとする課題】
本発明は、請求項１記載の記録シートで、上記した魚拓等の記録方法の問題点を解決し、尚且つ、請求項２の販売方法で、請求項１記載の記録シートを釣り人が簡単に手に入れられるようにすることを目的とする。
【０００４】
【課題を解決するための手段】
本発明の釣り用記録シートは、少なくとも、釣った魚の名前と体長、又は名前と重量を基材シート表面に記録し、尚且つ、その連続した数値の記録シートを任意で個々に複数作成し、あらかじめ販売店に置くことを特徴とする。
【０００５】
【発明の実施の形態】
請求項１に記載の発明は、図１で基材シート１の表面に少なくとも、釣った魚の名前２と体長３、又は名前と重量を記録し、釣り場４や釣り人の氏名、日付を記録することができる。
【０００６】更に、釣具メーカー名や釣具店名、瀬渡し船名、釣り船名等も記録することができる。
【０００７】図１で魚の名前２は魚種を限定されず、魚の体長３はｍｍ、ｃｍ、ｍで、魚の重量はｇ、ｋｇ、及びポンドが挙げられ、その単位は限定されない。また、例えば、石鯛５５、石鯛５５．０や、石鯛５５ｃｍ、石鯛５５．０ｃｍや石鯛３ｋｇ、石鯛３．０ｋｇのように体長や重量の記録方法についても整数や小数点を付けたり、単位を省略したり、付けたりする等が挙げられ、その種類や魚の名前との組み合わせは限定されない。更に、記録する数字についても、アラビア数字や漢数字などが挙げられ、その種類は限定されない。
【０００８】図１で基材シート１の材質には、例えば、紙、布、合成樹脂、化学繊維、金属等が挙げられ、その種類は限定されない。
【０００９】図１で基材シート１の形状は例えば、真円形、楕円形、正方形、長方形、扇形等が挙げられ、平面的なものであればその形状は限定されない。
また、基材シート１の大きさも限定されない。
【００１０】図１で魚の名前２と体長３、又は名前と重量、更に釣り場４、釣り人の氏名、日付、釣具メーカー名、釣具店名、瀬渡し船名、釣り船名等の基材シート１上のこれらの具体的配置位置は限定されず、記録方法については刺繍や印刷等が挙げられ、その方法も限定されない。
【００１１】請求項２に記載の発明は、請求項１記載の発明の販売方法のひとつである。例えば、石鯛５１．０ｃｍ、石鯛５１．１ｃｍ、・・・石鯛７０．０ｃｍ、や石鯛３．０ｋｇ、石鯛３．１ｋｇ、・・・石鯛５．０ｋｇ、又は石鯛５１ｕｐ、石鯛５２ｕｐ・・・石鯛７０ｕｐのように図１で基材シート１の表面に少なくとも、魚の名前２と体長３、又は名前と重量の連続した数値の記録シートを任意で個々に複数作成し、あらかじめ販売店に置くことで、釣った魚と同じ体長、又は同じ重量の記録シートを簡単に手に入れることが可能となる。
【００１２】
【実施例】
本発明は、これを使用するとき、衣類や帽子等に粘着、又は逢着するワッペンにしたり、図１で基材シート１の裏面に粘着剤や磁石を付着させ、クーラーボックスや車等に装着するステッカーにしたりすることが好ましい。
【００１３】更に、
【００１０】で記述の記録方法である刺繍や印刷等は衣類や帽子等に直に取り付けることもできる。
【００１４】
【発明の効果】
本発明の釣り用記録シートは魚拓等とは異なり、釣った魚の実物がない場合でも、あらかじめ釣った魚の名前と体長、又は名前と重量を記憶していれば、簡単に手に入れることが可能となる。
【００１５】また、これを釣行時に衣類や帽子、車やクーラーボックス等に装着することにより、自分の釣った魚の記録を他の釣り人にアピールすることができると同時に、次回の記録更新への意欲が湧き、釣行回数の増加を促すことを期待できる。これにより釣業界全体の活性を高めることに貢献できる。
【図面の簡単な説明】
【図１】本発明のシートを示した平面図である。
【符号の説明】
１  シート
２  釣った魚の名前
３  釣った魚の体長
４  釣り場
【図１】
2004212688.tif 000003
(57)【要約】【課題】機器本体が無い場合でも、操作装置の動作がわかるようにすることを目的とするものである。【解決手段】機器本体に対する指示を操作入力し、操作内容や機器本体の動作状態等を表示する遠隔操作装置において、機器本体に接続していなくても、機器本体と接続して動作しているような挙動ができるようにしたものである。例えば、特定のスイッチ４，５を押しながら電源を供給したときに、機器本体と接続して動作しているような挙動をさせる。【選択図】  図１
2004212016.tif 000002
【特許請求の範囲】
【請求項１】
機器本体に対する指示を操作入力し、操作内容や機器本体の動作状態等を表示する遠隔操作装置において、機器本体に接続していなくても、機器本体と接続して動作しているような挙動ができることを特徴とする遠隔操作装置。
【請求項２】
特定のスイッチを押しながら電源を供給したときに、機器本体と接続して動作しているような挙動ができることを特徴とする請求項１記載の遠隔操作装置。
【請求項３】
電源を供給するときに押しているスイッチによって、機器本体と接続して動作しているような挙動の種類を指定できることを特徴とする請求項２記載の遠隔操作装置。
【請求項４】
機器本体に接続していない場合には、機器本体とのデータ通信ができないので通信エラーになるが、その時点でスイッチの特殊操作をすることにより機器本体と接続して動作しているような挙動ができることを特徴とする請求項１記載の遠隔操作装置。
【請求項５】
機器本体に接続せずに通信エラーになったときの特殊操作内容により機器本体と接続して動作しているような挙動の種類を指定できることを特徴とする請求項４記載の遠隔操作装置。
【発明の詳細な説明】
【０００１】
【発明の属する技術分野】
本発明は機器本体を遠隔操作する遠隔操作装置に関するものである。
【０００２】
【従来の技術】
従来この種の遠隔操作装置は、機器本体に接続しない場合には操作装置としての挙動がわからないものであった。
【０００３】
【発明が解決しようとする課題】
しかしながら、従来の遠隔操作装置では、機器本体がない場合は操作装置の挙動がわからないために、機能が日々向上する遠隔操作装置の動作の内容を使用者やセールスマンに簡単に理解してもらえないという課題を有していた。
【０００４】
【課題を解決するための手段】
本発明は上記課題を解決するために、機器本体に対する指示を操作入力し、操作内容や機器本体の動作状態等を表示する遠隔操作装置において、機器本体に接続していなくても、機器本体と接続して動作しているような挙動ができるようにしたものである。
【０００５】
したがって、機器本体がない場合でも、機能が日々向上する遠隔操作装置の動作の内容を使用者やセールスマンに簡単に理解してもらうことができる。
【０００６】
【発明の実施の形態】
上記の目的を達成するために本発明は、機器本体に対する指示を操作入力し、操作内容や機器本体の動作状態等を表示する遠隔操作装置において、機器本体に接続していなくても、機器本体と接続して動作しているような挙動ができるようにしたものである。
【０００７】
また、特定のスイッチを押しながら電源を供給したときに、機器本体と接続して動作しているような挙動をさせることができるようにしたものである。
【０００８】
また、電源を供給するときに押しているスイッチによって機器本体と接続して動作しているような挙動の種類を指定することができるようにしたものである。
【０００９】
さらに、機器本体に接続していない場合には、機器本体とのデータ通信ができないので通信エラーになるが、その時点でスイッチの特殊操作をすることにより機器本体と接続して動作しているような挙動をさせることができるようにしたものである。
【００１０】
そして、機器本体に接続せずに通信エラーになったときの特殊操作内容により機器本体と接続して動作しているような挙動の種類を指定することができるようにしたものである。
【００１１】
【実施例】
以下、本発明の実施例について図面を用いて説明する。
【００１２】
図１において、１は操作装置本体、２は操作装置１の表示部、３は操作装置１の操作部、４はスイッチＡ、５はスイッチＢ、６は表示部２の時計表示部、７は表示部２の燃焼表示部である。
【００１３】
操作装置本体１は、商品として機能する場合は機器本体（ここでは図示しない）と接続して機器本体の動作状態を表示したり、機器本体に対する指示を操作入力したり、操作内容を表示したりするが、機器本体と接続せずに、電源のみを供給した場合には機器本体とのデータ通信ができないために、通信エラーとなり時計表示部６にエラー表示を行って、リモコンとしての動作は行わない。
【００１４】
ここで、特殊操作としてスイッチＡ４を２回押した後に、スイッチＢ５を２秒以上押し続けると擬似動作モード▲１▼となり、特殊操作の他の方法としてスイッチＢ５を３回押した後にスイッチＡ４を３秒以上押せば、擬似動作モード▲２▼となる。
【００１５】
擬似動作モードにするための操作は、実施例として上記を示したが、操作装置の仕様によって最適な方法（たとえば音声ガイダンス等）を採ればよいことは言うまでもない。
【００１６】
擬似動作モードの実施例として、▲１▼であれば、給湯機の自動運転の擬似動作ができ、操作部３の自動スイッチ（図示はしていない）を押せば、まず自動スイッチが押されたことを示す表示を表示部２に行い、バーナーが燃焼していることを示す燃焼表示部７が点灯し、一定時間が経過すれば、自動動作完了の報知を行って擬似動作終了となる。
【００１７】
事例の▲２▼としては、給湯暖房機の暖房運転の擬似動作ができ、操作部３の暖房スイッチ（図示はしていない）を押せば、まず暖房スイッチが押されたことを示す表示を表示部２に行い、バーナーが燃焼していることを示す燃焼表示部７が点灯し、一定時間が経過すれば、暖房運転完了の報知を行って擬似動作終了となる。
【００１８】
ここで、擬似動作の内容は、遠隔操作装置の機能によって適切な動作を設定することができることは当然である。
【００１９】
上記事例では、電源投入後にエラー表示が出た後に特殊操作で擬似動作モードにするものを示したが、電源投入時に特定のスイッチが押されていた場合に、擬似動作モードにすることも可能であり、また電源投入時に押すスイッチによって擬似動作のモードを選択させることも可能である。
【００２０】
【発明の効果】
以上のように本発明によれば、機器本体が無い場合でも、使用者との接点である遠隔操作装置の動作の内容を、具体的な擬似動作で、使用者や、セールスマンに簡単に理解してもらうことができるものである。
【図面の簡単な説明】
【図１】本発明の一実施例としての遠隔操作装置のブロック図
【符号の説明】
１  操作装置本体
２  表示部
３  操作部
４  スイッチＡ
５  スイッチＢ
６  時計表示部
７  燃焼表示部
【図１】
2004212016.tif 000003
(57)【要約】      （修正有）【課題】この発明は、吸い込み域と排出域を一体化して循環することにより、熱の飛散を防止することで床面を暖房する。【解決手段】（イ）吸い込み口２と、床面に必要な空間を取り、支持ボルト７の調節で、吸い込み域３を確保する。（ロ）吸い込み域３と排出域５は、同軸上で旋回さし一体化して循環させる。（ハ）ケーシング６の、中芯部の下側に吸い込み口２と、外周部全域に排出口４を設ける。ヒーター８は、リング状にして羽根１とケーシング６と一体化した構造とする。【選択図】  図１
2004212030.tif 000002
【特許請求の範囲】
【請求項１】
羽根１、吸い込み口２から発生する吸い込み域３、排出口４から発生する排出域５、ケーシング６、支持ボルト７、ヒーター８及び駆動モーター９で構成された窮極の暖房機、
【発明の詳細な説明】
【０００１】
〔発明の属する技術分野〕
この発明は、吸い込み域３と排出域５が、一体化して循環することにより、飛散する熱源は防止する。
【０００２】
〔従来の技術〕
排出域のみ利用しているため、熱気は上昇して床面の暖房は難かしい。
【０００３】
〔発明が解決しょうとする課題〕
吸い込み域と排出域が、一体化して循環することにより、熱の飛散を防止することで床面を暖房する。
【０００４】
〔課題を解決するための手段〕
（イ）吸い込み口２と、床面に必要な空間を取り、吸い込み域３を確保する。
（ロ）吸い込み域３と排出域５は、同軸上で旋回さし一体化して循環させる。
（ハ）羽根１、ケーシング６及びヒーター８は、一体化した構造とする。
【０００５】
〔発明の実施の形態〕
（イ）支持ボルト７の調節で、吸い込み域３を確保する。
（ロ）ケーシング６の、中芯部の下側に吸い込み口２と、外周部全域に排出口４を設ける。
（ハ）ヒーター８は、リング状にして羽根１とケーシング６と合体する。
〔発明の効果〕
（イ）循環することで、省エネ効果につなぐ、
（ロ）床面を暖房元にして室内を温調（上下方向の温度差が少なく理想的）
（ハ）暖房しているが、床面が冷えている場所に設置（テーブル下等含む）
（ニ）同軸上を、旋回して循環するため、構造的に無理がなく合理的である。
（ホ）安価で、且つ、ランニングコストが安くつくこたが一番の特長とする。
【図面の簡単な説明】
【図１】側面図（部分切欠構成含む）
【図２】補足図（部分切欠構成含む）
【符号の説明】
１は羽根
２は吸い込み口
３は吸い込み域
４は排出口
５は排出域
６はケーシング
７は支持ボルト
８はヒーター
９は駆動モーター
【図１】
2004212030.tif 000003
【図２】
2004212030.tif 000004
(57)【要約】【課題】従来の太陽熱温水器は、タンク内の一定量の水に時間をかけ対流させ温水にしているが、量に制限がある、大量に作り出すためは熱交換器自体の重量や、コストが高くなる【解決手段】２枚のシートを合わせ、高周波ミシンで交互に溶着（４）し、水の通る水管（５）を作る、これにより水を流しながら熱交換を行なうシート（２）を作る広い面積を必要とするため、シートで製作し屋根材（１２）等と兼用すればコスト面と合わせて解決することが出来るシートであるから重量も軽い【選択図】  図１
2004212027.tif 000002
【特許請求の範囲】
【請求項１】
２枚のシートを合わせ高周波ミシンで交互に水を流すシート（２）を作り水管を流れながら、温水を得る装置
【発明の詳細な説明】
【０００１】
【発明の属する技術分野】
この発明は、太陽熱を広い面積で熱交換し、低コストで温水がえられるものである
【０００２】
【従来の技術】
太陽熱温水器等は、一定量の水を対流によって時間をかけて熱交換するため、量が限られ、大量の温水を得るためには、コストがかかる
【０００３】
【発明が解決しょうとする課題】
イ    大量の温水が得られる事
ロ    一定量の水を温めるのではなく、流れながら熱を吸収させる
ハ    低コストである事
二    施工しやすく工期が早い事
ホ    屋根材とも兼用する事が出来る
本発明は、以上の事を考えて研究を進めた
【０００４】
【課題を解決するための手段】
安価で広い面積の熱交換をおこなうため、黒いシートを使い加工すれば、大きな面積が得られる
シートなら、折りたたんで持ち運びも可能である
熱交換器自体は、シートであるから広げれば使用可能である
広い面積が必要なため屋根材を兼ねる、シートの強度はすでに大型の建築物等で実証済みである（テント倉庫など）
【０００５】
【発明の実施の形態】
２枚のシートを重ね合わせ高周波ミシンで交互に水の通り道を作っていく水管の長さは、シートのｍ２数×１５倍程度（１００ｍ２程度で１．５ｋｍ）の距離になるこの様なシートを作れば、水が通っていくだけで温水を得ることが出来る外気との温度差保護のため透明シートを上にかけ、下には断熱材付きの反射シートを敷く
【０００６】
【発明の効果】
従来の熱交換器とは異なり小さくたため、持ち運びもしやすく施工が早い水管の断面はシート周囲を固定するため楕円形と也、熱交換も非常に良い保温タンクに溜め循環させる事により、効率よく使用できる
屋根材と兼ねれば低コストにつながる
【０００７】
【発明の属する技術分野】
ボイラーと組み合わせ  冬季鶏舎の暖房、養魚場の温水、温水プール、温室栽培、床暖房など
【図面の簡単な説明】
【図１】本発明の熱交換シート
【図２】本発明の各シート図
【図３】本発明の断面図
【図４】
【図５】本発明の施工例
【符号の説明】
（１）  は、  上部透明シート
（２）  は、  熱交換シート
（３）  は、  断熱材付き反射シート
（４）  は、  高周波ミシンによる溶着面  約１ｃｍ巾
（５）  は、  水管  約５ｃｍ巾
（６）  は、  シートジョイント部
（７）  は、  水入り口
（８）  は、  水  出口
（９）  は、  保温タンク
（１０）は、  暖房配管
（１１）は、  ポンプ
（１２）は、  屋根材を兼ねた温水シート装置
（１３）は、  壁面を利用する場合
（１４）は、  シートをロープ等で固定するハトメ
【図１】
2004212027.tif 000003
【図２】
2004212027.tif 000004
【図３】
2004212027.tif 000005
【図４】
2004212027.tif 000006
【図５】
2004212027.tif 000007
(57)【要約】【課題】ゴミを焼却する際ダイオキシン等の有害物質の出ない焼却炉を低価格で提供する。【解決手段】ゴミの入ったステンレス製容器を焼却炉の中で、約８００°ｃの高温で加熱し、ゴミを無酸素に近い状態で炭化させ、さらに、焼却の際、ステンレス容器から発生するガスを焼却炉の中で１回の燃焼で、二次焼却を行うことを可能とした。【選択図】図１
2004212026.tif 000002
【特許請求の範囲】
【請求項１】
ダイオキシン等の有害物質の出ない焼却炉を提供する
【発明の詳細な説明】
【０００１】
【発明の属する技術分野】
本発明は、ゴミを焼却する際、有害物質の出ない焼却炉を作成する為に、ゴミを直接燃焼させるのではなく、ゴミの入ったステンレス製容器自体を約８００°Ｃの高温で加熱し、ゴミを無酸素に近い状態で炭化させる。さらに焼却する際、ステンレス容器から発生するガスを焼却炉の中で、一回の焼却で二次焼却を行うことを可能とした。つまり、ひとつの熱源（バーナー）が、ゴミを炭化させる為の高温熱源と、発生するガスを二次焼却する作用を、同時に行う構造となっており、低価格で焼却炉を提供できる。
【０００２】
【従来の技術】
従来の焼却炉は、ゴミに酸素を送り込み、直接高温で焼却していた。
【０００３】
【発明が解決しょうとする課題】
従来ゴミを焼却する際、直接焼却することにより、ダイオキシン等、有害物質が排出され、環境問題となり、社会問題となっている。本発明は、ゴミを間接的に高温で加熱することにより、ゴミを炭化させ、有害物質が出ない焼却炉を作った。
【０００４】
【課題が解決するための手段】
今回の焼却炉は焼却する物質（ゴミ）をステンレス製容器に入れその容器自体を無酸素に近い状態で高温で加熱し、ゴミを炭化させる。また、同時に一度の焼却で二次焼却を行う。
【０００５】
【発明の実施の形態】
焼却方法として、ステンレス容器を利用して、熱がゴミの入ったステンレス容器に均等に高温加熱できるような焼却炉であれば、熱源として電気、油、ガスのどのような熱源（バーナー）を使用しても有害物質のない焼却炉ができる。又、この際、ステンレス製容器の上部に有害物質を吸着分解する性質を持つブラスター（黒体）をフィルターとして使用すると、さらに有害物質の除去に効果的である。ブラスターとは、黒体の一種でその材料はまず、チタン、マンガン、鉄、酸化チタン等が有害物質を分解する働きをする。又、有害物質を吸着する為に有機物（オガクズ、メリケン粉、片栗粉、竹等）を使用する。〔用途によって金属類、有機物は配合割合を変えて使用する〕これらの金属類、有機物を混合して８００〜８５０℃で無酸素状態で焼成したものが、ブラスターである。
【０００６】
【発明の効果】
ゴミを無酸素に近い状態で高温加熱し、炭化させ、さらにブラスターフィルターを使用すると共に、一次焼却又、二次焼却が、同時にされる構造となっている為、ダイオキシン等の有害物質が出ない焼却炉である。この焼却炉により、一つの熱源で高温加熱された残留物は無酸素に近い状態で焼成される為、無害な炭となる。炭化された残留物質中のダイオキシン類測定報告書は別紙提出する。また、焼却炉の容量を大きくすることによりステンレス製容器を数多く一度に高温加熱することが可能である。さらに、燃焼室内のガス自体が燃焼する為、熱源（バーナー）の火力が少なくてすみ経済的である。
【図面の簡単な説明】
【図１】焼却炉の断面図である
【図２】焼却炉の正面図である
【符号の説明】
（１）焼却炉本体
（２）ステンレス製容器
（３）ゴミ
（４）ブラスターフィルター
（５）のぞき穴
（６）ダンパー
（７）イソヘルト
（８）断熱タイル
【図１】
2004212026.tif 000003
【図２】
2004212026.tif 000004